(57)【要約】【課題】前面への部品配置に悪影響を与えない制御装置の取り付けを図る。【解決手段】  遊技基板２の裏面には、主制御装置２８が発射通路２２から遊技領域５への球出口２２ａの近傍における遊技領域５と対応する位置に設けられ、複合制御装置２９が発射通路２２と対応する位置に設けられる。主制御装置２８は、主制御基板３０の電気部品を実装した板面が遊技基板２の裏面に対し直交しかつ遊技基板２の裏面に対し左右方向で水平に向けられ、主制御基板３０の板面と直交する端面が遊技基板２の裏面に対し平行となる格好で遊技基板２の裏面に対して取り付けられる。複合制御装置２９は、複合制御基板３１の電気部品を実装した板面が遊技基板２の裏面に対し直交しかつ遊技基板２の裏面に対し上下方向で垂直に向けられ、複合制御基板３１の板面と直交する端面が遊技基板２の裏面に対し平行となる格好で遊技基板２の裏面に対して取り付けられる。【選択図】図１
2006006474.tif 000002
【特許請求の範囲】
【請求項１】
方形な遊技基板の前面における内ガイドレールと外ガイドレールで囲まれた内側の遊技領域に、入賞部品、遊技釘、アウト口のような複数の前部品を備え、内ガイドレールと外ガイドレールとの間の隙間として形成された発射通路または発射通路から遊技領域への球出口または球出口の近傍における遊技領域のいずれかと対応する遊技基板の裏面に、制御装置を、制御装置における制御基板の板面が遊技基板の裏面に対し直交し、制御基板の板面と直交する端面が遊技基板の裏面に対し平行となる縦置きに設けられたことを特徴とするパチンコ機の遊技盤。
【請求項２】
制御装置が遊技全般を制御する主制御装置と主制御装置から入力される入力信号で演出を制御する複合制御装置との別々の制御装置として分別構成され、主制御装置が発射通路から遊技領域への球出口または球出口の近傍における遊技領域のいずれかと対応する遊技基板の裏面に設けられ、複合制御装置が発射通路と対応する遊技基板の裏面に設けられたことを特徴とする請求項１記載のパチンコ機の遊技盤。
【請求項３】
遊技基板の裏面と直交する主制御装置における主制御基板の板面が遊技基板の裏面に対し左右方向に向けられ、遊技基板の裏面と直交する複合制御装置における複合制御基板の板面が遊技基板の裏面に対し上下方向に向けられたことを特徴とする請求項２記載のパチンコ機の遊技盤。
【発明の詳細な説明】
【技術分野】
【０００１】
本発明は、前面への部品配置に悪影響を与えない制御装置の取り付けができるパチンコ機の遊技盤に関する。
【背景技術】
【０００２】
パチンコ機の遊技盤は、方形な遊技基板の前面における内ガイドレールと外ガイドレールで囲まれた内側の遊技領域に、入賞部品、遊技釘、アウト口などの複数の前部品を備え、遊技基板の裏面に、入賞部品に入賞した球を電気的に検出する入賞球検出器から入力された入賞信号で遊技全般を制御する主制御装置、主制御装置から入力された入力信号でスピーカを制御する音制御装置のような別々の制御装置として分別構成された複数の制御装置を備えている。しかしながら、複数の制御装置が遊技基板における裏面の全体に分散されているので、遊技基板における遊技領域に、遊技基板の裏面に突出する駆動機構の有る表示部品を設ける場合、遊技基板の裏面に設けられた制御装置と干渉しないようにしなければならないことから、遊技基板の裏面に突出する駆動機構の有る表示部品を設ける位置が制約を受けるという欠点があった。
【特許文献１】特開２０００−１６７１９５公報
【発明の開示】
【発明が解決しようとする課題】
【０００３】
発明が解決しようとする問題点は、遊技基板の裏面に突出する駆動機構の有る表示部品を遊技領域に設ける位置が制約されるという点である。
【課題を解決するための手段】
【０００４】
本発明に係るパチンコ機の遊技盤は、方形な遊技基板の前面における内ガイドレールと外ガイドレールで囲まれた内側の遊技領域に、入賞部品、遊技釘、アウト口のような複数の前部品を備え、内ガイドレールと外ガイドレールとの間の隙間として形成された発射通路または発射通路から遊技領域への球出口または球出口の近傍における遊技領域のいずれかと対応する遊技基板の裏面に、制御装置を、制御装置における制御基板の板面が遊技基板の裏面に対し直交し、制御基板の板面と直交する端面が遊技基板の裏面に対し平行となる縦置きに設けられたことを最も主要な特徴とする。本発明に係るパチンコ機の遊技盤は、制御装置が遊技全般を制御する主制御装置と主制御装置から入力される入力信号で演出を制御する複合制御装置との別々の制御装置として分別構成され、主制御装置が発射通路から遊技領域への球出口または球出口の近傍における遊技領域のいずれかと対応する遊技基板の裏面に設けられ、複合制御装置が発射通路と対応する遊技基板の裏面に設けられる。または、遊技基板の裏面と直交する主制御装置における主制御基板の板面が遊技基板の裏面に対し左右方向に向けられ、遊技基板の裏面と直交する複合制御装置における複合制御基板の板面が遊技基板の裏面に対し上下方向に向けられることも特徴とする。
【発明の効果】
【０００５】
本発明に係るパチンコ機の遊技盤は、始動入賞部品や表示器のような可動部品あるいは飾りなどのような裏機構の必要な遊技部品が設けられることない、遊技基板の発射通路または発射通路から遊技領域への球出口または球出口の近傍における遊技領域のいずれかと対応する遊技基板の裏面に、制御装置が設けられたことによって、遊技基板の裏面に突出する駆動機構の有る可動部品を遊技領域に設ける位置が制約されないという利点がある。制御装置が遊技全般を制御する主制御装置と主制御装置から入力される入力信号で演出を制御する複合制御装置との別々の制御装置として分別構成され、主制御装置が発射通路から遊技領域への球出口または球出口の近傍における遊技領域のいずれかと対応する遊技基板の裏面に設けられ、複合制御装置が発射通路と対応する遊技基板の裏面に設けられれば、不正を受けやすい主制御装置が検査を行う人の目の高さとなるので、主制御装置のＲＯＭが不正ＲＯＭに交換されているか否かを容易に検査することができるという利点がある。遊技基板の裏面と直交する主制御装置における主制御基板の板面が遊技基板の裏面に対し左右方向に向けられ、遊技基板の裏面と直交する複合制御装置における複合制御基板の板面が遊技基板の裏面に対し上下方向に向けられれば、主制御基板の板面の横幅を大きくし、複合制御基板の板面の上下幅を大きくしても、主制御装置と複合制御装置との双方を適切に設置することができる。
【発明を実施するための最良の形態】
【０００６】
図１−図５は、発明を実施するための最良の形態である。図１は、遊技盤１の正面を示す。図２は、遊技盤１と遊技機枠５１とを分解して示す。図３は、遊技機枠５１の裏面を示す。図４は遊技機枠５１に遊技盤１を取り付けたパチンコ機の裏面を示す。図５は、パチンコ機の電気系統を示す。この明細書において、「前」、「後」、「裏」、「左」、「右」、「上」、「下」の方向は、図２の状態に遊技盤１および遊技機枠５１を置いて前側から見た場合に特定される方向である。「後」と「裏」とは同じ方向である。
【０００７】
図１を参照し、遊技盤１について説明する。遊技盤１は、方形な遊技基板２の前面における内ガイドレール３と外ガイドレール４とで囲まれた内側の遊技領域５に、センター飾り６、一般入賞部品７、作動入賞部品８、始動入賞部品９、可変入賞部品１０、図柄表示部品１１、サイドランプ１２、風車１３、多数本の遊技釘１４、戻り球防止弁１５、球反発体１６、アウト口１７、演出表示部品１８などの前部品を備え、内ガイドレール３および外ガイドレール４の外側の非遊技領域に、盤面飾り１９、証紙台２０、取付部２１を備える。内ガイドレール３の左側部と外ガイドレール４の左側部との間の隙間は、発射通路２２である。センター飾り６は、遊技領域５の中央部に設けられ、中央に光を透過する物性の有る無色な透過性パネル２３を備え、透過性パネル２３の裏側に、画像表示器からなる図２に示す図柄表示器３６を備える。一般入賞部品７は、内ガイドレール３に沿った左下部および右下部で、可変入賞部品１０の左右に設けられる。作動入賞部品８は、センター飾り６と内ガイドレール３との間の左上部に設けられる。
【０００８】
始動入賞部品９は、センター飾り６のステージから球を落下させる球落下口６ａの真下に設けられ、一対の羽根２４を有する電動チューリップと呼ばれる構造のものを図示してある。羽根２４は下部を中心として左右に開閉する。可変入賞部品１０は、始動入賞部品９の真下に設けられ、開閉体２５が下部を中心として前傾状に開くとともに垂直に閉じる、アタッカまたは大入賞口と呼ばれる構造である。図柄表示部品１１は、内ガイドレール３に沿った左下部に設けられ、遊技基板２の裏面に突出したスッテプモータのような表示駆動源によって、遊技領域５に配置された表面に定形な図柄の印刷された立体的な表示体２６を回転するように動かす構造である。サイドランプ１２は、右下部の一般入賞部品７の上部で、内ガイドレール３に沿った左側部に設けられる。風車１３は、作動入賞部品８の下部に設けられる。
【０００９】
多数本の遊技釘１４は、センター飾り６、一般入賞部品７、作動入賞部品８、始動入賞部品９、可変入賞部品１０、図柄表示部品１１、サイドランプ１２、風車１３、戻り球防止弁１５、球反発体１６、アウト口１７、演出表示部品１８のそれぞれと干渉しないように分散して設けられる。戻り球防止弁１５の一端部が、内ガイドレール３における発射通路２２の球出口２２ａに位置する端部に取り付けられ、戻り球防止弁１５は、内ガイドレール３から外ガイドレール４の方向に位置する先端部に行くにしたがって、発射通路２２の球出口２２ａから遊技領域５の方向に徐々に傾斜する。球反発体１６は、戻り球防止弁１５と対となる右上部で、内ガイドレール３から外ガイドレール４との間に設けられる。アウト口１７は、内ガイドレール３に沿って、遊技領域５の最下部に設けられる。証紙台２０が、軸部２０ａを中心として前側に開けられることによって、取付部２１が、遊技盤１の前側から見える格好となる。証紙台２０の前面には、図外の証紙が、貼り付けられる。証紙は、遊技盤１が、組合の検査に合格して販売の認可を受けたことを証明するものである。取付部２１にはロック挿入孔２７を備える。
【００１０】
そして、図２に示す遊技機枠５１に設けられた発射機構７２から打ち出された球は、発射通路２２から戻り球防止弁１５を押し開けて遊技領域５に発射される。この遊技領域５に発射された球は、センター飾り６、作動入賞部品８、一般入賞部品７、始動入賞部品９、可変入賞部品１０、図柄表示部品１１、サイドランプ１２、風車１３、遊技釘１４、球反発体１６、図柄表示部品１１などに衝突して流れる方向を変えられながら、遊技領域５を流下し、作動入賞部品８を通過したり、一般入賞部品７、始動入賞部品９、可変入賞部品１０に入賞したりする。一般入賞部品７、始動入賞部品９、可変入賞部品１０に入賞しないで遊技領域５の最下部に到達した球は、アウト口１７から遊技基板２の裏側に排出される。
【００１１】
遊技基板２の裏面には、主制御装置２８が発射通路２２から遊技領域５への球出口２２ａの近傍における遊技領域５と対応する位置に設けられ、複合制御装置２９が発射通路２２と対応する位置に設けられる。主制御装置２８は、制御に必要な電気部品の実装された回路基板からなる主制御基板３０を１つの主制御装置筐体の内部に装着した構造であって、主制御基板３０の電気部品を実装した板面が遊技基板２の裏面に対し直交しかつ遊技基板２の裏面に対し左右方向で水平に向けられ、主制御基板３０の板面と直交する端面が遊技基板２の裏面に対し平行となる格好で、主制御装置筐体の厚さ（主制御基板３０の板面と直交する方向の厚さ）ｔ１が遊技基板２の上下方向となる格好で、遊技基板２の裏面に対して取り付けられる。複合制御装置２９は、制御に必要な電気部品の実装された回路基板からなる複合制御基板３１を１つの複合制御装置筐体の内部に装着した構造であって、複合制御基板３１の電気部品を実装した板面が遊技基板２の裏面に対し直交しかつ遊技基板２の裏面に対し上下方向で垂直に向けられ、複合制御基板３１の板面と直交する端面が遊技基板２の裏面に対し平行となる格好で、複合制御装置筐体の厚さ（複合制御基板３１の板面と直交する方向の厚さ）ｔ２が遊技基板２の左右方向となる格好で、遊技基板２の裏面に対して取り付けられる。
【００１２】
図２を参照し、遊技盤１の裏機構、遊技機枠５１の前機構について説明する。遊技盤１における遊技基板２の裏面には、取付部２１、主制御装置２８、複合制御装置２９、セット板と呼ばれる部品取付構造体３２、盤側可撓性配線３３、盤側ヒンジ３４を備える。部品取付構造体３２は、一般入賞部品７、始動入賞部品９、可変入賞部品１０、アウト口１７から遊技基板２の裏側に排出された球を、下方に誘導して排出する。遊技基板２の裏側には、遊技基板２の前面に設けられた遊技部品の裏機構が、遊技基板２に形成された図外の逃孔や部品取付構造体３２に形成された逃孔３５を経由して突出する。遊技基板２の裏側に突出した遊技部品の裏機構は、作動入賞部品８の作動入賞球検出器、一般入賞部品７の一般入賞球検出器、始動入賞部品９の始動入賞球検出器、始動入賞部品９の羽根２４を動かす羽根駆動機構、可変入賞部品１０の特定入賞球検出器および普通入賞球検出器、可変入賞部品１０の開閉体２５を動かす開閉駆動機構、図柄表示器３６の制御を行う図柄制御装置３７、図柄表示部品１１の表示体２６を動かす表示駆動機構３８、演出表示部品１８の可動体を動かす演出駆動機構３９、サイドランプ１２の表示灯基板などである。図柄表示器３６は、逃孔３５に配置され、部品取付構造体３２に取り付けられる。図柄制御装置３７は、図柄表示器３６の裏面に取り付けられる。
【００１３】
作動入賞球検出器は、作動入賞部品８に入賞した球を電気的に検出し、作動入賞信号を主制御装置２８に出力する。一般入賞球検出器は、一般入賞部品７に入賞した球を電気的に検出し、一般入賞信号を主制御装置２８に出力する。始動入賞球検出器は、始動入賞部品９に入賞した球を電気的に検出し、始動入賞信号を主制御装置２８に出力する。特定入賞球検出器は、可変入賞部品１０に入賞した球を電気的に検出し、継続信号を主制御装置２８に出力する。普通入賞球検出器は、可変入賞部品１０に入賞した球を電気的に検出し、可変入賞信号を主制御装置２８に出力する。盤側可撓性配線３３は、遊技盤１に設けられた電気部品と遊技機枠５１に設けられた電気部品とを接続する多数本の箔形状の電線および箔形状の電極４０が、可撓性を有する合成樹脂基板の表面に付設された構造である。盤側可撓性配線３３に接続される遊技盤１に設けられた電気部品は作動入賞球検出器、一般入賞球検出器、始動入賞球検出器、特定入賞球検出器、普通入賞球検出器、羽根駆動機構の羽根駆動源、開閉駆動機構の開閉駆動源、図柄制御装置３７、演出駆動機構の表示駆動源、表示灯基板などである。盤側ヒンジ３４は、遊技基板２に固定的に取り付けられたヒンジ躯体の前側に折り曲げられた支持部に上下方向に貫通したヒンジ孔４１を備えた構造である。取付部２１は、遊技基板２の盤側ヒンジ３４と反対側の側部に設けられる。
【００１４】
遊技機枠５１は、固定枠５２および可動枠５３を備える。固定枠５２は、パチンコ店の図外の遊技機設置構造体に取り付けるための外枠と呼ばれるものであって、前後方向に開放された縦長な長方形の空間を囲む額縁形状である。可動枠５３は、前枠または中枠と呼ばれるものであって、固定枠５２に左側のヒンジ５４で前側横方向に片開き可能にかつ着脱可能（交換可能）に取り付けられる。可動枠５３は、前後方向に開放された縦長な長方形の空間を囲む額縁形状の可動枠本体５５と、可動枠本体５５から内部に延設された遊技主体収納構造体５６とを備える。可動枠本体５５には、パネル枠５７および球皿構造体５８が左側に設けられるヒンジ５９で前側横方向に片開き可能に取り付けられる。パネル枠５７は、前後方向に開放された窓６０を囲む額縁形状である。パネル枠５７の裏面には、ガラスまたは合成樹脂からなる光透過性を有する前面パネル６１が、窓６０を覆う格好で取り付けられる。
【００１５】
可動枠本体５５の右縦片には施錠装置６２と複数のロック機構６３；６４；６５およびロック解除操作体６６が設けられる。固定枠可動枠５３やパネル枠５７および球皿構造体５８が閉じられてロック機構６３−６５で開閉不能に支持された状態において、遊技店の店員が図外のキープレート（鍵）を遊技機枠５１の前側から施錠装置６２の鍵穴６７に挿入し、当該キープレートを例えば右側に９０度回転操作すると、固定枠５２と可動枠５３とのロック機構６５による支持形態が解除される。この支持形態の解除後に、店員が可動枠５３を前側に引くことによって、可動枠５３はヒンジ５４を中心として前側に片開きされる。また、上記施錠装置６２の鍵穴６７に挿入されたキープレートが例えば左側に９０度回転操作されると、可動枠５３とパネル枠５７とのロック機構６３による支持形態が解除される。
【００１６】
この支持形態の解除後に、店員がパネル枠５７を前側に引くことによって、パネル枠５７はヒンジ５９を中心として前側に片開きされる。このように、パネル枠５７が前側に開かれた状態において、店員が可動枠５３の前面に設けられたロック解除操作体６６を操作すると、可動枠５３と球皿構造体５８とのロック機構６４による支持形態が解除される。この支持形態の解除後に、店員が球皿構造体５８を前側に引くことによって、球皿構造体５８はヒンジ５９を中心として前側に片開きされる。球皿構造体５８の前面には、球収納部６８および発射操作機構６９を備える。球収納部６８は、遊技に使用する球を受ける上方に開放された形態である。球皿構造体５８の裏面には、前横樋７０から球を球収納部６８に供給する球取入口７１と、球収納部６８から発射機構７２に球を供給する球供給口７３とを備える。
【００１７】
遊技主体収納構造体５６は、前側に開放された遊技主体収納室７４と、遊技主体収納室７４の背壁に前後方向に貫通する中央開口部７５とを備える。遊技主体収納構造体５６における遊技主体収納室７４よりも下部における前面には、遊技主体棚７６を備える。遊技主体棚７６から下方に延設された遊技主体収納構造体５６における前壁の前面には、発射機構７２、発射レール７７、ファール球取入口部７８、前横樋７０を備える。発射レール７７は、球皿構造体５８の球供給口７３から供給された１個の球を受け取る。発射機構７２は、電力供給と遮断とを交互に受けることによって、球収納部６８から発射レール７７に供給された１個の球を遊技盤１の図１に示す遊技領域５に向けて発射する。発射レール７７は、発射機構７２から発射された球を、遊技盤１の図１に示す発射通路２２の入口に誘導する。ファール球取入口部７８は、遊技盤１の発射通路２２から落下する球を取り込む。ファール球取入口部７８に取り込まれた球は、前横樋７０を経由して球取入口７１に排出される。前横樋７０は、可動枠５３の裏部に取り付けられた図３に示す球払出機構８８から払い出された球を球取入口７１に排出する。
【００１８】
遊技主体収納室７４の右側部には、遊技主体ロック部材７９を備える。遊技主体ロック部材７９は、遊技主体収納構造体５６から前側に突出する円筒状の台座の中心にロック操作体８０を回転可能に備える。ロック操作体８０は、台座から前側に突出した操作軸の端部に固定された横長な形態である。遊技主体収納室７４の左側部には、遊技盤１を取り付ける枠側ヒンジ８１および枠側コネクタ８２を備える。枠側ヒンジ８１は、遊技主体収納室７４の左側部に固定的に取り付けられたヒンジ躯体の前側に折り曲げられた支持部から上方に突出したヒンジピンを備えた構造である。枠側コネクタ８２は、導電材からなるコネクタピンが合成樹脂のような電気絶縁材かなるコネクタボディに移動可能に装着され、コネクタピンに内蔵されたコイルスプリングのような弾性体がコネクタピンの先端部をコネクタピンから外側に押し出した、スプリングコネクタと呼ばれる構造であって、コネクタピンが遊技盤１の電極４０から押されるのに伴い、弾性体が圧縮し、コネクタピンと電極４０とが互いに押し合って接触する。
【００１９】
図３を参照し、遊技機枠５１の裏機構について説明する。タンク８５は、遊技機設置構造体における補給機構の球出口から排出された球を受けるものであって、中央開口部７５より右上部に配置され、遊技主体収納構造体５６の裏面に取り付けられる。タンク８５は、上方に開放した箱形である。タンク８５の底部には、取込部８６、球切れ検出器８７、球払出機構８８が設けられる。取込部８６は、タンク８５の底部の右側で前後方向中央部に設けられる。取込部８６は、左右に横長であって、タンク８５の底部から下方に窪む窪みである。球払出機構８８は、ステップモータからなる払出モータ８９と螺旋払出体９０および払出球検出器９１を備える。払出モータ８９のモータケースが、タンク８５の右外側面に取り付けられる。螺旋払出体９０は、丸棒の外周面に螺旋体を備える。螺旋体は、螺旋払出体９０の丸棒の軸心方向に球を１個ずつ分離する間隔で、当該丸棒の外周面から径方向外側に螺旋形状に突出する。螺旋払出体９０の丸棒の軸心が左右方向に向けられた格好で、螺旋体が取込部８６に回転可能に収納される一方、螺旋払出体９０における螺旋体の不在な丸棒の両端部が取込部８６を囲む左右側壁を取込部８６の内外に回転可能に貫通する。そして、螺旋払出体９０における取込部８６の左側壁の外側に突出した丸棒の端部が、払出モータ８９のモータ軸のような出力軸に結合される。この結合よって、払出モータ８９の出力軸が回転すると、螺旋払出体９０も一緒に回転する。タンク８５の底部は、球が周囲から取込部８６に向けて流れる斜面を形成する。
【００２０】
したがって、タンク８５に貯蔵された球は、タンク８５の取込部８６に流れ込み、払出モータ８９による螺旋払出体９０の回転によって螺旋体の隙間に分離されつつ取り込まれて螺旋払出体９０で取込部８６の内部を左側から右側に移動させられ、取込部８６における底部に形成された球出口から下方に落下してタンク８５から排出される。このタンク８５から排出された球は払出球検出器９１を通過する。払出球検出器９１は、払出球検出器９１を通過する球を検出するごとに払出球検出信号を主制御装置２８および発射払出制御装置９２に出力する。払出球検出器９１を通過した球は、払出球検出器９１の下部に連接された払出樋９３に取り込まれる。払出樋９３は、中央開口部７５よりも左側に配置され、遊技主体収納構造体５６の裏面に取り付けられる。払出樋９３の内部には、球通路が、上部から下部に行くにしたがって、前後方向に蛇行する形態に形成される。払出樋９３の下端は、前横樋７０の右上部に連なる。よって、払出樋９３に取り込まれた球は、払出樋９３の内部における球通路を蛇行しながら流下して前横樋７０に排出される。
【００２１】
払出樋９３の左側には、球抜樋９４が併設される。球抜樋９４および払出樋９３は上部で互いに連接される。この連接部には、通路切換機構９５が設けられる。通路切換機構９５は、払出樋９３の裏面に取り付けられた電磁ソレノイドからなる通路切換駆動源としての通路切換ソレノイド９６、通路切換ソレノイド９６のプランジャに連結されて払出樋９３の球通路に配置された通路切換弁９７とを備える。例えば、通路切換ソレノイド９６が電力供給されていない場合、通路切換弁９７は、払出球検出器９１から払出樋９３に球を流すように、払出球検出器９１と球抜樋９４との球通路を遮断する。そして、通路切換ソレノイド９６が電力供給されている場合、通路切換弁９７は、払出球検出器９１から球抜樋９４に球を流すように、払出球検出器９１と払出樋９３との球通路を遮断する。球抜樋９４の下端は、前横樋７０の収納部裏面に球通路カバーにより形成された球抜樋９４に連接される。球抜樋９４の下端は、前横樋７０の収納部裏面から下方に突出する。払出樋９３における通路切換機構９５よりも下部の中間部には、満タン検出器９８が設けられる。
【００２２】
遊技主体収納構造体５６における遊技主体棚７６より下方に延設された前壁の裏面には、電源装置９９と発射払出制御装置９２とが取り付けられる。電源装置９９は、中央開口部７５よりも右下部に配置される。発射払出制御装置９２は、中央開口部７５よりも左下部に配置される。枠側コネクタ８２よりも上部における遊技主体収納構造体５６の裏面には、外部情報端子基板１００、払出中継端子基板１０１、電源端子基板１０２が、下から上に順に配置された形態で、取り付けられる。発射払出制御装置９２よりも左側における遊技主体収納構造体５６の裏面には、球皿中継基板１０３が取り付けられる。電源装置９９、発射払出制御装置９２、枠側コネクタ８２、払出中継端子基板１０１、電源端子基板１０２、外部情報端子基板１００および球皿中継基板１０３のそれぞれは、枠側可撓性配線１０４で、互いに接続される。枠側可撓性配線１０４は、遊技盤１に設けられた電気部品と遊技機枠５１に設けられた電気部品とを接続する多数本の箔形状の電線が、可撓性を有する合成樹脂基板に付設された構造である。
【００２３】
枠側コネクタ８２、外部情報端子基板１００、払出中継端子基板１０１、電源端子基板１０２、球皿中継基板１０３が上下方向に一列に配置された形態で、枠側可撓性配線１０４に接続される。払出中継端子基板１０１には、タンク８５に設けられたタンク中継端子基板１０５が、ハーネス１０６で接続される。タンク中継端子基板１０５は、払出球検出器９１からの配線や通路切換ソレノイド９６からの配線を接続するものである。タンク中継端子基板１０５は、複数のコネクタが実装された形態である。コネクタには、ハーネス１０６からの配線や払出球検出器９１からの配線や通路切換ソレノイド９６からの配線などが個別に接続される。電源端子基板１０２には、パチンコ機のプラグ１０７を有する電源配線１０８が接続される。外部情報端子基板１００は、図５に示すホールコンピュータ１１７と接続される。球皿中継基板１０３は球皿構造体５８からの配線が接続される。電源装置９９の裏面左下部には、電源スイッチ１０９およびリセット釦１１０が設けられる。タンク８５の右側には、通路切換弁９７で払出球検出器９１から球抜樋９４に球を流すように払出球検出器９１と払出樋９３との球通路を遮断するための一斉球抜きスイッチ１１１、図２に示すパネル枠５７が不正に開放かれたことを検出するための扉開放スイッチ１１２が設けられる。
【００２４】
図２において、遊技盤１は、遊技機枠５１に、次のように装着される。少なくとも、パネル枠５７が前側に開けられた状態において、遊技盤１の裏面が可動枠５３の前面に向けられ、遊技盤１の左側部が遊技主体収納室７４に前側から挿入され、盤側ヒンジ３４のヒンジ孔４１が枠側ヒンジ８１のヒンジピンに上方から挿入されると、遊技盤１が遊技機枠５１に盤側ヒンジ３４と枠側ヒンジ８１とを中心として回転可能に取り付けられる。そして、遊技盤１が作業者によって遊技機枠５１の方に押されると、盤側コネクタと枠側コネクタ８２とが互いに嵌め合わされて接続される一方、ロック操作体８０が遊技盤１のロック挿入孔２７に後側から挿入されて前側に突出する。その状態において、作業者がロック操作体８０を例えば右方向に９０度回転操作すると、ロック操作体８０がロック挿入孔２７の周りにおける取付部２１と係合し、遊技盤１が遊技主体収納室７４に取り付けられる。このように遊技盤１が遊技機枠５１に装着されたパチンコ機を裏面から見ると、図４に示す形態となる。図４において、電源配線１０８のプラグ１０７が遊技機設置構造体のＡＣ２４ボルトを出力する島電源の出力端子に接続され、電源スイッチ１０９が作業者によって投入されると、電源装置９９が主制御装置２８、複合制御装置２９、図柄制御装置３７、発射払出制御装置９２に直流電源を供給する。
【００２５】
最良の形態によれば、図３に示すように、遊技機枠５１を裏側から見た場合、遊技機枠５１の中央開口部７５よりも右上部に設けられたタンク８５が球払出機構８８を備え、球払出機構８８から払い出された球を遊技機枠５１の前面に配置された図２に示す球皿構造体５８の球収容部の側に誘導する払出樋９３が、タンク８５の真下に相当する遊技機枠５１の中央開口部７５よりも右側に設けられている。よって、タンク８５と球払出機構８８とをつなぐ従来の下タンク８５と呼ばれる中継樋が不要となり、遊技機枠５１に取り付けられる図２に示す遊技盤１の裏機構を逃げるための中央開口部７５の上下寸法を大きくすることができるという利点がある。このことから、図４に示すように、遊技盤１を遊技機枠５１に取り付けた場合、遊技盤１の発射通路２２から遊技領域５に球が飛び出す出口の周りの裏面が中央開口部７５に露出される。そして、この中央開口部７５に露出される遊技盤１の裏面と対応する発射通路２２または発射通路２２から遊技領域５への球出口２２ａまたは球出口２２ａの近傍における遊技領域５のいずれかには、始動入賞部品９、表示駆動機構３８、演出駆動機構３９のような可動部品あるいは飾りなどのような裏機構の必要な可動部品が設けられることはない。よって、この中央開口部７５に露出される遊技盤１の裏面が主制御装置２８または複合制御装置２９などの遊技盤１の裏面に取り付ける面として利用することができるという利点がある。
【００２６】
図３に示すように、遊技機枠５１を裏側から見た場合、遊技機枠５１の中央開口部７５よりも左側には、遊技盤１に設けられた電気部品と遊技機枠５１に設けられた電気部品とを接続する枠側コネクタ８２が縦方向に一列に設けられているので、枠側コネクタ８２を設ける横幅が、従来の球払出機構８８を設ける横幅より小さくなる。よって、中央開口部７５の左右寸法を大きくすることができるという利点がある。このことから、図４に示すように、遊技盤１を遊技機枠５１に取り付けた場合、遊技盤１における発射通路２２の周りの裏面が中央開口部７５に露出される。そして、この中央開口部７５に露出される遊技盤１の裏面と対応する発射通路２２の周りには、始動入賞部品９、表示駆動機構３８、演出駆動機構３９のような可動部品あるいは飾りなどのような裏機構の必要な可動部品が設けられることはない。よって、この中央開口部７５に露出される遊技盤１の裏面が主制御装置２８または複合制御装置２９などの遊技盤１の裏面に取り付ける面として利用することができるという利点がある
【００２７】
図５を参照し、パチンコ機の電気系統について説明する。主制御装置２８と複合制御装置２９と図柄制御装置３７および発射払出制御装置９２のそれぞれに格納されたマイクロコンピュータが図４に示す電源装置９９から電力供給を受けて起動し、図柄制御装置３７が画像制御信号を図柄表示器３６に出力し、図柄表示器３６が図柄制御信号に対応する画像を表示する。主制御装置２８には、入力機器と出力機器とが配線で接続される。主制御装置２８の入力機器は、入賞球検出器１１５および払出球検出器９１である。入賞球検出器１１５には、例えば、作動入賞球検出器、一般入賞球検出器、始動入賞球検出器、特定入賞球検出器、普通入賞球検出器などがある。払出球関係検出器には、払出球検出器９１、球切れ検出器８７、満タン検出器９８などがある。主制御装置２８の出力機器は、入賞部品駆動源１１６と遊技店の管理を行うホールコンピュータ１１７である。入賞部品駆動源１１６には、羽根駆動源、開閉駆動源などがある。複合制御装置２９は、主制御装置２８と配線で接続される。複合制御装置２９には、表示灯１１８、スピーカ１１９、図柄表示部品１１の表示駆動源、演出表示部品１８における演出駆動機構３９の演出部品駆動源１１３などの出力機器が配線で接続される。
【００２８】
表示灯１１８は、遊技機枠５１の前部または遊技盤１の前部に設けられ、点灯、点滅、消灯で遊技演出を行う部品である。スピーカ１１９は遊技機枠５１に設けられて音で遊技演出を行う部品である。発射払出制御装置９２は、主制御装置２８と配線で接続される。発射払出制御装置９２には、入力機器と出力機器とが配線で接続される。発射払出制御装置９２の入力機器は、球払出機構８８の払い出される球を検出する払出球検出器９１、球払出機構８８のタンク８５の側に球切れの発生があることを検出する球切れ検出器８７、発射操作機構６９の球の発射を停止するための発射停止検出器１２０と発射操作機構６９への遊技者による操作量を可変抵抗値として出力する可変抵抗器１２１および発射操作機構６９への遊技者の接触を検出する接触検出器１２２である。発射払出制御装置９２の出力機器は、球払出機構８８の球を払い出す動作を行ったり停止したりする払出モータ８９、発射機構７２の発射駆動源１２３である。図５における結合子Ｄは互いに接続される。
【産業上の利用可能性】
【００２９】
図６は、遊技基板２の遊技領域５に設けられた前部品が、図１に示す遊技盤１と異なる、遊技盤１２５の正面を示す。図６に示す遊技盤１２５における遊技基板２の遊技領域５には、図１のセンター飾り６および図２の図柄表示器３６に置換したセンター役物と呼ばれる可変入賞部品１２６を設け、図１の可変入賞部品１０に置換した複合チャッカと呼ばれる入賞部品１２７を設けた構造である。この図６に示す遊技盤１２５においても、図３に示す遊技機枠５１の中央開口部７５に露出される遊技盤１２５の裏面と対応する発射通路２２から遊技領域５に球が飛び出す球出口２２ａの周り、中央開口部７５に露出される遊技盤１２５の裏面と対応する発射通路２２の周りのそれぞれには、始動入賞部品９や図柄表示部品１１のような可動部品あるいは飾りなどのような裏機構の必要な遊技部品が設けられることはない。よって、この中央開口部７５に露出される遊技盤１２５の裏面が主制御装置２８または複合制御装置２９などの遊技盤１２５の裏面に取り付ける面として利用することができるという利点がある。
【００３０】
図７は、遊技基板２の遊技領域５に設けられた前部品が、図１に示す遊技盤１と異なる、遊技盤１３１の正面を示す。図７に示す遊技盤１３１における遊技基板２の遊技領域５には、図１のセンター飾り６および図柄表示器３６に置換したセンター役物と呼ばれるドラム式図柄表示器１３２を設けた構造である。ドラム式図柄表示器１３２は、円筒状の周面に複数の図柄の印刷されたドラム表示体１３３が、例えば、３個、左右方向に並列配置され、これらのドラム表示体１３３を図外のステップモータからなる表示駆動源で個別に回転させ、始動入賞信号が主制御装置２８に入力されると、主制御装置２８が当たり外れ抽選を行いその結果を記憶しておくとともに表示駆動源の駆動を開始し、この開始から所定時間が経過した時点において、主制御装置２８が記憶しておいた当たり外れ抽選結果を反映するように上記表示駆動源への駆動を停止する。記憶された当たり外れ抽選結果が当たりの場合、停止した複数のドラム表示体１３３が同じ図柄を例えば横一線に並ぶように停止され、その後、主制御装置２８が開閉駆動源を制御し、可変入賞部品１０の開閉体２５が開閉する大当たり遊技となる。記憶された当たり外れ抽選結果が外れの場合、停止した複数のドラム表示体１３３が異なる図柄を例えば横一線に並ぶように停止させ、その後、主制御装置２８が上記大当たり遊技の制御を実行しない。この図７に示す遊技盤１３１においても、図３に示す遊技機枠５１の中央開口部７５に露出される遊技盤１３１の裏面と対応する発射通路２２から遊技領域５に球が飛び出す球出口２２ａの周り、中央開口部７５に露出される遊技盤１３１の裏面と対応する発射通路２２の周りのそれぞれには、始動入賞部品９や図柄表示部品１１のような可動部品あるいは飾りなどのような裏機構の必要な遊技部品が設けられることはない。よって、この中央開口部７５に露出される遊技盤１３１の裏面が主制御装置２８または複合制御装置２９などの遊技盤１３１の裏面に取り付ける面として利用することができるという利点がある。
【図面の簡単な説明】
【００３１】
【図１】遊技盤を示す正面図（最良の形態）。
【図２】遊技盤と遊技機枠とを示す分解斜視図（最良の形態）。
【図３】遊技機枠を示す裏面図（最良の形態）。
【図４】パチンコ機を示す裏面図（最良の形態）。
【図５】パチンコ機の電気系統を示す模式図（最良の形態）。
【図６】遊技盤を示す正面図（他の形態）。
【図７】遊技盤を示す正面図（異なる他の形態）。
【符号の説明】
【００３２】
１      遊技盤
２      遊技基板
３      内ガイドレール
４      外ガイドレール
５      遊技領域
７      一般入賞部品
８      作動入賞部品
９      始動入賞部品
１０    可変入賞部品
１４    遊技釘
１７    アウト口
２２    発射通路
２２ａ  球出口
２８    主制御装置
２９    複合制御装置
３０    主制御基板
３１    複合制御基板
【図１】
2006006474.tif 000003
【図２】
2006006474.tif 000004
【図３】
2006006474.tif 000005
【図４】
2006006474.tif 000006
【図５】
2006006474.tif 000007
【図６】
2006006474.tif 000008
【図７】
2006006474.tif 000009